(57)【要約】【課題】 消費者は最適な広告のみ聴取し、アンケート等の調査を行わずに広告効果を随時入手することを可能にする。【解決手段】 放送事業者１は、時間(Ｔ)、場所(Ｐ)、嗜好情報(Ｏ)を持った放送や通信回線を通じた広告を行う。消費者２は、この放送を消費者端末２０で受信し、受信時の時間、場所、嗜好の各条件によって消費者端末２０が再生するため、最適な広告のみを聴取する。このとき、消費者端末に装備されるメモリカード等の外部記憶媒体２５に広告再生データが保存され、消費者は本広告で購入したい商品サービスがあった場合、その店頭へ出向き、広告された商品サービスを決済する際、外部記憶媒体を同時に提示すると、企業の店頭にある店頭端末で外部記憶媒体からその広告再生データを読み取り、その店頭で販売される商品サービスであれば、値引きを行う。また、読み取り端末は広告再生データを放送事業者に送信する。【選択図】図１
2005071384.tif 000002
【特許請求の範囲】
【請求項１】
視聴者端末において、    
放送された企業の商品の広告情報を受信する受信ステップと、
前記受信ステップで受信した広告情報を外部媒体に記録する記録ステップと、
店頭端末において、
前期記録ステップで前記外部媒体に記録された前記広告情報を読み取る読み取りステップと、
前記読み取りステップで読み出した前記広告情報が、前記企業の商品の広告であることを判定する判定ステップと、
前記判定ステップで前記企業の商品であると判定された実績に応じて広告料を決定する広告料決定ステップと、
を有することを特徴とする広告情報提供方法。
【請求項２】
視聴者端末において、    
放送された企業の商品の広告情報を受信する受信ステップと、
前記受信ステップで受信した広告情報を外部媒体に記録する記録ステップと、
店頭端末において、商品販売時に、
前期記録ステップで前記外部媒体に記録された前記広告情報を読み取る読み取りステップと、
前記読み取りステップで読み出した前記広告情報が、前記企業の商品の広告であることを判定する判定ステップと、
前記判定ステップで前記企業の商品であると判定された販売実績に応じて広告料を決定する広告料決定ステップと、
を有することを特徴とする広告情報提供方法。
【請求項３】
請求項１または２に記載の広告情報提供方法であって、前記記録ステップで記録される広告情報は、前記視聴者端末において再生された広告情報に限ることを特徴とする広告情報提供方法。
【請求項４】
請求項1から３のいずれかに記載の広告情報提供方法であって、前記記録ステップで記録される広告情報は、視聴者の設定によってフィルタリングされた広告情報に限ることを特徴とする広告情報提供方法。
【請求項５】
請求項1から４のいずれかに記載の広告情報提供方法であって、さらに、
前記店頭端末において、
前記判断手段で前記企業の商品であると判定された広告情報を、事業者サーバにネットワークを介して送信する広告情報送信ステップと、
前記事業者サーバは、
前記広告情報送信ステップで送信された前記広告情報を記憶装置に記憶する記憶ステップと、
を有することを特徴とする広告情報提供方法。
【請求項６】
視聴者端末に、    
放送された企業の商品の広告情報を受信する受信手段と、
前記受信手段受信した広告情報を外部媒体に記録する記録手段と、
店頭端末において、
前期記録手段で前記外部媒体に記録された前記広告情報を読み取る読み取り手段と、
前記読み取り手段で読み出した前記広告情報が、前記企業の商品の広告であることを判定する判定手段と、
前記判定手段で前記企業の商品であると判定された実績に応じて広告料を決定する広告料決定手段と、
を有することを特徴とする広告情報提供システム。
【請求項７】
視聴者端末において、    
放送された企業の商品の広告情報を受信する受信手段と、
前記受信手段で受信した広告情報を外部媒体に記録する記録手段と、
店頭端末において、商品販売時に、
前期記録手段で前記外部媒体に記録された前記広告情報を読み取る読み取り手段と、
前記読み取り手段で読み出した前記広告情報が、前記企業の商品の広告であることを判定する判定手段と、
前記判定手段で前記企業の商品であると判定された販売実績に応じて広告料を決定する広告料決定手段と、
を有することを特徴とする広告情報提供システム。
【請求項８】
請求項６または７に記載の広告情報提供システムであって、前記記録手段で記録される広告情報は、前記視聴者端末において再生された広告情報に限ることを特徴とする広告情報提供システム。
【請求項９】
請求項６から８のいずれかに記載の広告情報提供システムであって、前記記録手段で記録される広告情報は、視聴者の設定によってフィルタリングされた広告情報に限ることを特徴とする広告情報提供システム。
【請求項１０】
請求項６から９のいずれかに記載の広告情報提供システムであって、さらに、
前記店頭端末において、
前記判断手段で前記企業の商品であると判定された広告情報を、事業者サーバにネットワークを介して送信する広告情報送信手段と、
前記事業者サーバは、
前記広告情報送信手段で送信された前記広告情報を記憶装置に記憶する記憶手段と、
を有することを特徴とする広告情報提供システム。
【請求項１１】
視聴者端末が、放送された企業の商品の広告情報を受信して外部媒体に記録した外部媒体から前記広告情報を読み取る読み取り手段と、
前記読み取り手段で読み出した前記広告情報が、前記企業の商品の広告であることを判定する判定手段と、
前記判定手段で前記企業の商品であると判定された実績に応じて広告料を決定する広告料決定手段と、
を有することを特徴とする店頭端末。
【請求項１２】
請求項１１に記載の店頭端末であって、さらに、
前記判断手段で前記企業の商品であると判定された広告情報を、事業者サーバにネットワークを介して送信する広告情報送信手段と、
を有することを特徴とする店頭端末。
【請求項１３】
視聴者端末が、放送された企業の商品の広告情報を受信して外部媒体に記録した外部媒体から前記広告情報を読み取る読み取り手段と、
前記読み取り手段で読み出した前記広告情報が、前記企業の商品の広告であることを判定する判定手段と、
前記判定手段で前記企業の商品であると判定された実績に応じて広告料を決定する広告料決定手段と、
を有することを特徴とする店頭端末プログラム。
【請求項１４】
請求項１３に記載の店頭コンピュータのプログラムであって、さらに、
前記判断手段で前記企業の商品であると判定された広告情報を、事業者サーバにネットワークを介して送信する広告情報送信手段と、
を有することを特徴とする店頭端末プログラム。
【発明の詳細な説明】
【技術分野】
【０００１】
本発明は、時間、場所及び嗜好等の情報によって放送される広告内容を自動的に選択でき、そして、聴取者に対する広告効果の把握が可能な、広告情報の提供システム及びその広告効果の把握システムならびにシステムに関する。
【背景技術】
【０００２】
従来、企業は広告効果を把握するために聴取率調査を行い、その広告の聴取率と商品の売上高変化等からその広告効果を推定していた。また、広告はその放送エリア内において同一の内容が放送されている。
【発明の開示】
【発明が解決しようとする課題】
【０００３】
上述した従来における広告情報の提供の仕方及び広告効果の把握の仕方によれば、アンケートなどによる聴取率調査対象者が実際にその広告を見て商品を購入したか否か不明であったため、広告による売上げ増の効果がどの程度であるか正確ではなかった。また、同じ放送地域内では、誰でもどこでも同じ広告内容を聴取し、従って、適当ではない広告も放送されているため、聴取者の広告浸透性が高くなかった。このように、広告主から見て、広告による売上げの貢献がどの程度あるか不明瞭であり、また、広告情報に関し、広告主の商品サービスを購入可能な消費者にのみ提供したくても不特定多数に放送されているのが現状である。消費者から見ても興味ある商品に関するものだけ受信したいはずである。
【０００４】
本発明は上記事情に鑑みてなされたものであり、放送事業者によって放送される広告情報を、放送時間、放送エリア、聴取者の嗜好に関する情報の少なくとも１つを含む条件に従ってフィルタリングし、聴取者が希望する最適な広告情報のみ端末装置を介して聴取することにより、興味のある広告のみ聴取でき、広告効果を高めた広告情報の提供システムならびにシステムを提供することを目的とする。また、記端末装置が持つ外部記憶媒体に聴取される広告情報を保存し、その外部記憶媒体を店頭に持ち寄って店頭にある端末装置を介して読み取らせることにより、広告された商品サービスの決済を行うと共に、読み取った情報を通信回線経由で放送事業者へ送信して広告聴取を行うことにより広告効果を知ることができるようにし、広告による売上げ増の解析を容易化した広告効果の把握システムならびにシステムを提供することも目的とする。
【課題を解決するための手段】
【０００５】
上記した課題を解決するために、本発明の広告情報提供方法は、視聴者端末において、放送された企業の商品の広告情報を受信する受信ステップと、前記受信ステップで受信した広告情報を外部媒体に記録する記録ステップと、店頭端末において、前期記録ステップで前記外部媒体に記録された前記広告情報を読み取る読み取りステップと、前記読み取りステップで読み出した前記広告情報が、前記企業の商品の広告であることを判定する判定ステップと、前記判定ステップで前記企業の商品であると判定された実績に応じて広告料を決定する広告料決定ステップとを有する。
【０００６】
また、本発明の広告情報提供方法は、視聴者端末において、放送された企業の商品の広告情報を受信する受信ステップと、前記受信ステップで受信した広告情報を外部媒体に記録する記録ステップと、店頭端末において、商品販売時に、前期記録ステップで前記外部媒体に記録された前記広告情報を読み取る読み取りステップと、前記読み取りステップで読み出した前記広告情報が、前記企業の商品の広告であることを判定する判定ステップと、前記判定ステップで前記企業の商品であると判定された販売実績に応じて広告料を決定する広告料決定ステップとを有する。
【０００７】
また、本発明の広告情報提供方法は、さらに、前記記録ステップで記録される広告情報は、前記視聴者端末において再生された広告情報に限る。
【０００８】
また、本発明の広告情報提供方法は、さらに、前記記録ステップで記録される広告情報は、視聴者の設定によってフィルタリングされた広告情報に限ることを特徴とする。
【０００９】
また、本発明の広告情報提供方法は、さらに、前記店頭端末において、  前記判断手段で前記企業の商品であると判定された広告情報を、事業者サーバにネットワークを介して送信する広告情報送信ステップと、前記事業者サーバは、前記広告情報送信ステップで送信された前記広告情報を記憶装置に記憶する記憶ステップとを有する。
【００１０】
また、本発明の広告情報提供システムは、視聴者端末に、放送された企業の商品の広告情報を受信する受信手段と、前記受信手段受信した広告情報を外部媒体に記録する記録手段と、店頭端末において、前期記録手段で前記外部媒体に記録された前記広告情報を読み取る読み取り手段と、前記読み取り手段で読み出した前記広告情報が、前記企業の商品の広告であることを判定する判定手段と、前記判定手段で前記企業の商品であると判定された実績に応じて広告料を決定する広告料決定手段とを有する。
【００１１】
また、本発明の広告情報提供システムは、視聴者端末において、放送された企業の商品の広告情報を受信する受信手段と、前記受信手段で受信した広告情報を外部媒体に記録する記録手段と、店頭端末において、商品販売時に、前期記録手段で前記外部媒体に記録された前記広告情報を読み取る読み取り手段と、前記読み取り手段で読み出した前記広告情報が、前記企業の商品の広告であることを判定する判定手段と、前記判定手段で前記企業の商品であると判定された販売実績に応じて広告料を決定する広告料決定手段とを有する。
【００１２】
また、本発明の広告情報提供システムは、さらに、前記記録手段で記録される広告情報は、前記視聴者端末において再生された広告情報に限ることを特徴とする。
【００１３】
また、本発明の広告情報提供システムは、さらに、前記記録手段で記録される広告情報は、視聴者の設定によってフィルタリングされた広告情報に限ることを特徴とする。
【００１４】
また、本発明の広告情報提供システムは、さらに、前記店頭端末において、前記判断手段で前記企業の商品であると判定された広告情報を、事業者サーバにネットワークを介して送信する広告情報送信手段と、前記事業者サーバは、前記広告情報送信手段で送信された前記広告情報を記憶装置に記憶する記憶手段とを有することを特徴とする。
【００１５】
また、本発明の店頭端末は、視聴者端末が、放送された企業の商品の広告情報を受信して外部媒体に記録した外部媒体から前記広告情報を読み取る読み取り手段と、  前記読み取り手段で読み出した前記広告情報が、前記企業の商品の広告であることを判定する判定手段と、前記判定手段で前記企業の商品であると判定された実績に応じて広告料を決定する広告料決定手段とを有する。
【００１６】
また、本発明の店頭端末は、さらに、前記判断手段で前記企業の商品であると判定された広告情報を、事業者サーバにネットワークを介して送信する広告情報送信手段とを有する。
【００１７】
本発明の店頭プログラムは、視聴者端末が、放送された企業の商品の広告情報を受信して外部媒体に記録した外部媒体から前記広告情報を読み取る読み取り手段と、前記読み取り手段で読み出した前記広告情報が、前記企業の商品の広告であることを判定する判定手段と、前記判定手段で前記企業の商品であると判定された実績に応じて広告料を決定する広告料決定手段とを有する。
【００１８】
また、本発明の店頭プログラムは、さらに、前記判断手段で前記企業の商品であると判定された広告情報を、事業者サーバにネットワークを介して送信する広告情報送信手段とを有する。
【発明の効果】
【００１９】
以上説明のように本発明によれば、放送あるいは情報提供の時間やエリア、または聴取者の嗜好に関する情報の少なくとも１つを含む広告情報ならびに番組情報を放送や通信回線を通じて提供し、放送事業者や通信回線事業者によって提供される広告情報を、時間、エリア、聴取者の嗜好に関する情報の少なくとも１つを含む条件に従ってフィルタリングし、聴取者が希望する最適な広告情報のみ聴取することにより、消費者に再生しているため、消費者に最適な広告のみ提供することができる。
【００２０】
また、消費者端末が持つ外部記憶媒体に聴取される広告情報を保存し、この外部記憶媒体を店頭に持ち寄って店頭にある端末を介して読み取らせることにより、広告された商品サービスの決済を行うと共に、読み取った情報を放送や通信回線の事業者へ送信し広告聴取を行うことによって広告効果を知らしめ、このことにより、商品サービスの決済時に、消費者が広告を聴いたかどうか認証し、企業と放送事業者や通信回線事業者が広告効果を明確にすることができる。更に、企業が放送事業者や通信回線事業者に支払う広告料の決定システムを明確にすることができ、最適な広告のみを聴取し、さらに厳選された広告のみが提供されるようになるため、消費ユーザーへの広告浸透性を高くすることもできる。放送事業者から消費者端末に広告データを送信する際にデータ圧縮を行うことにより、同じ時間内で従来の放送や通信回線を用いる場合より多くの広告を提供することができるため広告の取扱量が増大することも考えられる。
【発明を実施するための最良の形態】
【００２１】
図１は本発明の一実施形態に係わる広告情報の提供システム及びその広告効果の把握システムを概念的に示した基本モデルである。ここでは、放送事業者１と、放送事業者１による放送を聴取する消費者２と、放送事業者１に広告を依頼し、消費者２に商品サービス販売する企業（広告主）３間における商品と情報の流れが矢印実線で、お金の流れが点線でそれぞれ示されている。
【００２２】
図１において、消費者２は、放送事業者１の放送を聴取する端末装置２０を持つ。この端末装置２０は、後述するように、放送される広告情報を、消費者２が希望する時間（Ｔ）、場所（Ｐ）、嗜好（Ｏ）の情報に合わせフィルタリングして聴取することから、以降ではＴＰＯＣａｓｔ端末２０と称する。また、企業３の店頭では店頭端末３０を持つ。外部記憶媒体２５はＴＰＯＣａｓｔ端末２０の広告再生記録を記憶し、店頭端末３０で企業３の広告概要と認証できるように構成されている。
【００２３】
上記構成において、放送事業者１は、番組と企業３から依頼された広告を制作する。広告には、例えば、放送時間、放送エリア、嗜好情報が含まれており、放送事業者１は、この広告と番組を放送する。ＴＰＯＣａｓｔ端末２０は、放送事業者１によって生成出力される放送を受信する。受信した放送のうち、広告データは、先の時間、場所、嗜好の各条件によってフィルタリングされ、消費者に最適な広告のみ再生する。このとき、ＴＰＯＣａｓｔ端末２０の外部記憶媒体（メモリカード２５）に再生された広告データが記憶される。
【００２４】
消費者２は、ＴＰＯＣａｓｔ端末２０で再生された番組と広告を聴取する。そして、聴取した広告の中で購入したい商品サービスがあった場合、その商品サービスを販売する企業３の店頭に出向く。企業３の店頭では消費者２に商品サービスを販売する。消費者２が放送された広告を聴取し、商品サービスを購入に来た場合、消費者２が持つＴＰＯＣａｓｔ端末２０の外部記憶媒体２５を同店頭にある店頭端末３０で読み取り、販売する商品サービスの広告が再生されていたか否かを認証する。再生されていた場合、商品サービス価格の値引きを実施し、再生データはインターネット４０を介して放送事業者１に送信される。
【００２５】
図２乃図４は、図１に示す放送事業者１が持つサーバコンピュータ１０、消費者２が持つＴＰＯＣａｓｔ端末２０、企業３が店頭に持つ店頭端末３０の内部構成を示す図である。図２において、サーバコンピュータ１０は、放送サーバ１１、認証サーバ１２、主記憶装置１３、大容量ファイル装置１４、キーボードディスプレイ装置１５、放送設備１６、モデム１７で構成される。放送サーバ１１は、主記憶装置１３に割り付けられた放送エンジン１３２によって製作される番組及び広告情報を、放送設備１６、放送網１００を介して不特定多数に送信する。認証サーバ１２は、主記憶装置１３に割り付けられた認証エンジン１３３に従い、店頭端末３０を介してフィードバックされる情報の認証を行う。主記憶装置１３には他にＯＳ１３１が常駐しており、上記した各エンジン１３２、１３３は、ＯＳ１３１と協動してワーク１３４を使用し、放送、認証のためのプログラム処理を行う。
【００２６】
大容量ファイル装置１４は、放送エンジン１３２により製作される番組、広告情報他、店頭端末３０からフィードバックされる再生情報が格納され、必要に応じて主記憶装置１３に読み込まれる。キーボードディスプレイ装置１５は、マンマシンインタフェースとなる部分であり、必要情報を表示し、本発明と関係するところでは、広告情報製作の際に、時間、場所、嗜好等の情報をキー入力する。１７はモデムであり、当該モデム１７を介して店頭端末３０他と接続される。上述した放送サーバ１１、認証サーバ１２、主記憶装置１３、大容量ファイル装置１４、キーボードディスプレイ１５、放送設備１６は、システムバス１８を介して共通接続される。
【００２７】
図３において、ＴＰＯＣａｓｔ２０は、制御中枢となるＣＰＵ２１、主記憶装置２２、ローカルディスク装置２３、カードライタ（ＩＣＣＷ）２４、メモリカード等の外部記憶媒体２５、ＬＡＮコントローラ（モデム）２６で構成される。更に、ＧＰＳレシーバ２７がオプション実装される。主記憶装置２２に割り付けられた聴取情報検索エンジン２２２は、放送事業者１によって放送される広告情報を、例えば、放送時間、放送エリア、聴取者の嗜好等ＴＰＯに関する条件に従ってフィルタリングし、聴取者が希望する最適な広告情報のみ聴取するための検索エンジンである。ＣＰＵ２１は、聴取情報検索エンジン２２２に従い、ローカルディスク装置２３にダウンロードされ、一旦蓄積される広告情報を含む番組情報の検索を行う。主記憶装置２２には、他にＯＳ２２１が常駐しており、聴取情報検索エンジン２２２はＯＳ２２１と協働してワーク２２３を使用し検索のためのプログラム処理を行う。
【００２８】
カードライタ２４は、装填されるメモリカード等の外部記憶媒体２５にＣＰＵ２１によって生成されるデータを書き込むものであり、ここでは、外部記憶媒体２５に、検索され消費者に聴取情報として再生された情報が書き込まれる。ＬＡＮコントローラ（モデム）２６は、インターネット接続のために必要な通信制御装置であり、また、ＧＰＳレシーバ２７は、放送事業者１に放送エリアを通知するために設置される。なお、上記したＣＰＵ２１、主記憶装置２２、ローカルディスク装置２３、カードライタ２４、ＬＡＮコントローラ（モデム）２６、ＧＰＳレシーバ２７はシステムバス２８を介して共通接続される。
【００２９】
図４において、店頭端末３０は、制御中枢となるＣＰＵ３１、主記憶装置３２、ローカルディスク装置３３、カードリーダ（ＩＣＣＲ）３４、ディスプレイ装置３５、ＬＡＮコントローラ（モデム）３６で構成される。主記憶装置３２に割り付けられた決済エンジン３２２は、ＴＰＯＣａｓｔ端末２０によってメモリカード２５に聴取される広告情報が保存され、この外部記憶媒体としてのメモリカード２５を店頭に持ち寄り、本店頭端末３０に内蔵されたカードリーダ３４を介して読み取らせ、広告された商品サービスの決済を行う。
【００３０】
主記憶装置３２には、他にＯＳ３２１が常駐しており、決済エンジン３２２は、ＯＳ３２１と協働してワーク３２３を使用し、後述する決済のためのプログラム処理を行う。なお、ＬＡＮコントローラ（モデム）３６は、インターネット接続のために必要な通信制御装置であり、ＣＰＵ３１、主記憶装置３２、ローカルディスク装置３３、カードリーダ３４、ディスプレイ装置３５と共にシステムバス３８に共通接続される。
【００３１】
次に、図５に示すフローチャートと図６に示すデータフォーマットを参照して、図１乃至図４に示す本発明実施形態の動作について詳細に説明する。まず、放送事業者１は、企業等の広告主３から依頼され制作した広告を番組とともに出力し、放送網１００を介して放送する（ステップＡ１）。このとき、放送される広告データのフォーマットは、図６（ａ）にフォーマット１として示すように、広告企業名、広告商品名、その他広告概要、広告内容で構成されている。ここで、その他広告概要とは、ＴＰＯ条件分けのために必要なデータであり、例えば、商品名、サービス名等の広告分類、サービス業、製造業等の企業分類、広告時間、広告地域を示すものとする。また、広告内容とは実際に消費者に聴取される音声データとする。
【００３２】
次に、ＴＰＯＣａｓｔ端末２０が放送事業者１から出力された放送を受信する（ステップＡ２）。そして、ＴＰＯＣａｓｔ端末２０は、受信したデータを時間、場所、嗜好情報に応じて消費者にとって最適な視聴情報が得られるようにフィルタリングする（ステップＡ３）。このことにより、消費者２にフィルタリングされた広告のみ再生されると同時に、その再生された広告データは外部記憶媒体２５に記憶される（ステップＡ４、Ａ５、Ａ６）。このとき、ＴＰＯＣａｓｔ端末２０から外部記憶媒体としてのメモリカード２５には、図６（ｂ）にフォーマット２として示すように、広告企業名、広告商品名、広告再生日時、広告再生場所がデータとして記憶される。ここで、広告再生日時とは、ＴＰＯＣａｓｔ端末２０が再生した時間のことを示し、具体的には内蔵タイマ（図示せず）による計時をいう。また、広告再生場所とは、ＴＰＯＣａｓｔ端末２０が再生した場所をいい、具体的にはＧＰＳレシーバ２７により入手した位置情報をいう。
【００３３】
次に、再生された広告データの中で聴取した消費者２が気に入った商品があると、その消費者２は、企業３の店頭に出向き、気に入った商品がなければＴＰＯＣａｓｔ端末２０の受信した放送を聴取し続ける（ステップＡ７、Ａ８）。そして、消費者２は企業３の店頭で商品をオーダーする（ステップＡ９）。更に、店頭端末３０のカードリーダ３４に消費者２が持つメモリカード２５を装填し、このメモリカード２５に記憶されたデータがその店頭で扱う商品の広告であるか否かをチェックする（ステップＡ１０）。チェックの結果、該当する企業、商品でない場合は、提示価格で販売をする（ステップＡ１１、Ｂ２１）。該当する企業、商品であれば、値引きを実施して販売する（ステップＡ１１、Ｂ１１）。企業３には、店頭端末４のディスプレイ装置３５にその企業の広告再生データのみ表示される（ステップＢ１２）。
【００３４】
なお、値引き販売後、広告主にも広告再生データが送信される（ステップＢ１３）。このとき、店頭端末３０から広告主に対し、図６（ｃ）にフォーマット３として示すように、広告企業名、広告商品名、広告再生日時、広告再生場所がデータとして送られる。最後に広告聴取による商品販売実績に応じて広告料を決定し、決済処理を実行する（ステップＢ１４）。この決済処理は、決済エンジン３２２に従う。
【００３５】
次に、本発明の他の実施形態について、図７に示す商品、情報の流れ及びお金の流れ、図８に示すフローチャートを参照して詳細に説明する。放送事業者１と、放送事業者１の放送を聴く消費者２と、放送事業者１に広告を依頼し消費者２に商品サービス販売する企業３と、ＥＣ（エレクトロニックコマース）カードによって消費者２と企業３の代金決済を行い、放送事業者１に広告再生記録と広告料決済する金融カード事業者４で構成されている。消費者２は、放送事業者１の放送を聴取するためにＴＰＯＣａｓｔ端末２０をもつ。企業３の店頭では店頭端末３０を持つ。外部記憶媒体としてのＥＣカード２５は、ＴＰＯＣａｓｔ端末２０の広告再生記録情報も記憶し、店頭端末３０で企業３の広告概要と認証できるように構成されている。
【００３６】
まず、放送事業者１は、広告主から依頼され制作した広告を番組とともに出力し放送する。このとき、放送される広告データのフォーマットは先に図６（ａ）にフォーマット１として示したように、広告企業名、広告商品名、その他広告概要、広告内容で構成されている（ステップＣ１）。次に、ＴＰＯＣａｓｔ端末２０が放送事業者１から出力された放送を受信する（ステップＣ２）。次に、ＴＰＯＣａｓｔ端末２０は、受信したデータを時間、場所、嗜好情報に応じて消費者２にとって最適にフィルタリングする（ステップＣ３）。そして、フィルタリングされた広告のみ消費者に再生出力されると同時に、その再生された広告データはＥＣカード２５に記憶される。このとき、ＴＰＯＣａｓｔ端末２０からＥＣカード２５には、図６（ｂ）でフォーマット２として示すように、広告企業名、広告商品名、広告再生日時、広告再生場所が記憶される（ステップＣ４、Ｃ５、Ｃ６）。
【００３７】
次に、再生された広告データの中で聴取した消費者が気に入った商品があるとその消費者２は、企業３の店頭に出向き、気に入った商品がなければＴＰＯＣａｓｔ端末２０の受信した放送を聴取し続ける（ステップＣ７、Ｃ８）。そして、消費者２は、企業３の店頭で商品をオーダーする（ステップＡ９）。そして、店頭端末３０に消費者のＥＣカード２５を挿入し、ＥＣカード２５に記録されたデータがその店頭で扱う商品の広告であるか否かをチェックする（ステップＣ１０）。チェックの結果、該当する企業、商品でない場合は、提示価格でＥＣカード決済する（ステップＣ１１、Ｄ２１）。該当する企業、商品であれば、値引きを実施してＥＣカード決済する（ステップＣ１１、Ｄ１１）。企業３には、店頭端末３０にその企業の広告再生データのみ表示される（ステップＤ１２）。
【００３８】
次に、値引き価格でのＥＣカード決済後、図６（ｃ）にフォーマット３として示すように、広告事業者にも広告再生データが送信される（ステップＤ１３）。最後に毎月、過去1ヶ月間の広告聴取による商品販売実績に応じて広告料を決定し、金融カード事業者４が広告料を放送事業者１に支払い、金融カード事業者４が商品決済額から広告料を差し引いた額を企業に支払う（ステップＤ１４）。このような構成にすることにより、広告料を毎月の広告聴取による商品販売実績に応じて、自動的に決済することができる。
【００３９】
次に、本発明の更に他の実施形態について、図９に示す、商品、情報及びお金の流れ、図１０に示すフローチャート、及び図１１に示すデータフォーマットを参照して詳細に説明する。図９において、ここでは、放送事業者１と、放送事業者１の放送を聴く消費者２と、放送事業者１に広告の製作を依頼し、消費者２に商品サービス販売する企業３から成っている。消費者２は、放送事業者１の放送を聴取するためのＴＰＯＣａｓｔ端末２０を持つ。企業の店頭では店頭端末３０を持つ。外部記憶媒体としてのメモリカード２５は、ＴＰＯＣａｓｔ端末２０の番組／広告再生記録を記憶し、店頭端末３０で企業の広告概要と認証、及び放送事業者１に番組再生記録が送信できるように構成されている。
【００４０】
まず、放送事業者１は、広告主３から依頼され制作した広告を番組とともに出力して放送する（ステップＥ１）。このとき、放送されるデータのフォーマットは、図１１（ａ）にフォーマット１として示すように、番組名／広告企業名、番組コーナー名／広告商品名、その他番組／広告概要、番組／広告内容で構成されている。次に、ＴＰＯＣａｓｔ端末２０が放送事業者１から出力された放送を受信する（ステップＥ２）。そして、ＴＰＯＣａｓｔ端末２０は、受信したデータを時間、場所、嗜好情報に応じて消費者にとって最適にフィルタリングする（ステップＥ３）。
【００４１】
次に、消費者が選択した番組及びフィルタリングされた広告のみ再生され消費者に再生されると同時に、その再生された番組／広告データはメモリカード２５に記憶される（ステップＥ４、Ｅ５、Ｅ６）。このとき、ＴＰＯＣａｓｔ端末２０からメモリカード２５には図１１（ｂ）にフォーマット２として示すように、番組名／広告企業名、番組コーナー名／広告商品名、番組／広告再生日時、番組／広告再生場所が記憶される。そして、再生された広告データの中で聴取した消費者が気に入った商品があると企業店頭へ出向き、気に入った商品がなければＴＰＯＣａｓｔ端末２０の受信した放送を聴取し続ける（ステップＥ７、Ｅ８）。
【００４２】
次に、消費者２は、企業店頭で商品をオーダーする（ステップＥ９）。そして、店頭端末３０に消費者のメモリカード２５を挿入し、このメモリカード２５に記録されたデータがその店頭で扱う商品の広告であるかチェックする（ステップＥ１０）。チェックの結果、該当する企業、商品でない場合は、提示価格で販売し、店頭端末３０から番組再生データを放送事業者１に送信する（ステップＥ１１、Ｆ２１、Ｆ１３）。該当する企業、商品であれば値引きを実施して販売し（ステップＥ１１、Ｆ１１）、店頭端末３０にその企業の広告再生データのみ表示される（ステップＢ１２）。そして、値引き販売後、図１１（ｃ）、（ｄ）にそれぞれフォーマット３、４として示すように、放送事業者１にも番組／広告再生データが送信される（ステップＦ１３）。最後に広告聴取による商品販売実績に応じて広告料を決定，決済する（ステップＢ１４）。このような構成にすることにより、放送事業者１は番組聴取状況を把握することができる。
【００４３】
以上説明のように本発明において、放送事業者１は、時間(Ｔ)、場所(Ｐ)、嗜好情報(Ｏ)を持った放送、広告を行っている。消費者２は、この放送を消費者端末２０で受信し、受信時の時間、場所、嗜好の各条件によって消費者端末２０が再生するため、最適な広告のみを聴取する。このとき、消費者端末２０に装備されるメモリカード等の外部記憶媒体２５には広告再生データが保存され、消費者２は本広告で購入したい商品サービスがあった場合、その店頭へ出向き、広告された商品サービスを決済する際、メモリカード等外部記憶媒体２５を同時に提示すると、企業の店頭にある店頭端末３０でその外部記憶媒体２５からその再生データを読み取り、その店頭で販売される商品サービスであれば、値引きを行う。また、読み取り端末は広告再生データを放送事業者１に送信する。このことにより、消費者２は最適な広告のみ聴取し、アンケート等の調査を行わずに広告効果を随時入手することを可能にする。
【００４４】
なお、上記実施形態では、広告情報を放送事業者が配信する場合について説明したが、広告情報が事業者から通信回線を通じて配信される場合にも同様に適用することができる。
【図面の簡単な説明】
【００４５】
【図１】本発明の一実施形態につき商品／情報とお金の流れを概念的に示した図である。
【図２】図１に示す放送事業者が持つサーバコンピュータの内部構成を示すブロック図である。
【図３】図１に示す消費者が持つ消費者端末の内部構成を示すブロック図である。
【図４】図１に示す広告主が持つ店頭端末の内部構成を示すブロック図である。
【図５】図１に示す実施形態の動作を説明するために引用したフローチャートである。
【図６】図１に示す本発明一実施形態において各ブロックを伝播するデータのフォーマットを示す図である。
【図７】本発明の他の実施形態につき商品／情報とお金の流れを概念的に示した図である。
【図８】図７に示す実施形態の動作を説明するために引用したフローチャートである。
【図９】本発明の他の実施形態につき商品／情報とお金の流れを概念的に示した図である。
【図１０】図７に示す実施形態の動作を説明するために引用したフローチャートである。
【図１１】図１に示す本発明一実施形態において各ブロックを伝播するデータのフォーマットを示す図である。
【符号の説明】
【００４６】
１…放送事業者
２…消費者
３…企業（広告主）
４…金融カード事業者
１１…放送サーバ
１２…認証サーバ
１４…大容量ファイル装置
２０…消費者端末（ＴＰＯＣａｓｔ端末）
２５…外部記憶媒体（メモリカードＥＣカード）
３０…店頭端末
４０…インターネット
１３２…放送エンジン
１３３…認証エンジン
２２２…聴取情報検索エンジン
３２２…決済エンジン
【図１】
2005071384.tif 000003
【図２】
2005071384.tif 000004
【図３】
2005071384.tif 000005
【図４】
2005071384.tif 000006
【図５】
2005071384.tif 000007
【図６】
2005071384.tif 000008
【図７】
2005071384.tif 000009
【図８】
2005071384.tif 000010
【図９】
2005071384.tif 000011
【図１０】
2005071384.tif 000012
【図１１】
2005071384.tif 000013